(57)【要約】【課題】バーコードの判読性を低下させることなく、かつ、ラベルに商品情報に併せて、レシピ・献立情報を分かり易く目立つように印字する。【解決手段】計量機と連動したオンデマンド商品情報１と、該商品に関連するレシピ・献立情報２とを併せてインクジェット方式により印字し、かつ、少なくともレシピ・献立情報２は、フルカラーで印字し、オンデマンド商品情報１に含まれるバーコード３は、ＡＮＳＩ  Ｘ３．１８２で規定されるシンボルグレードがグレードＣ以上で印字する。【選択図】図１
2010211455.tif 000002
【特許請求の範囲】
【請求項１】
計量機と連動したオンデマンド商品情報と、該商品に関連するレシピおよび／または献立のオンデマンド情報とを併せてインクジェット方式により印字し、
かつ、少なくとも前記レシピおよび／または献立のオンデマンド情報は、フルカラーで印字し、
前記オンデマンド商品情報に含まれるバーコード情報は、ＡＮＳＩ  Ｘ３．１８２で規定されるシンボルグレードがグレードＣ以上で印字することを特徴とするラベル印字方法。
【請求項２】
同種の商品に、異なる前記レシピおよび／または献立のオンデマンド情報を印字することを特徴とする請求項１に記載のラベル印字方法。
【請求項３】
計量機と連動したオンデマンド商品情報と、該商品に関連するレシピおよび／または献立のオンデマンド情報とが併せて印字され、
かつ、少なくとも前記レシピおよび／または献立のオンデマンド情報は、フルカラーで印字され、
前記オンデマンド商品情報に含まれるバーコード情報は、ＡＮＳＩ  Ｘ３．１８２で規定されるシンボルグレードがグレードＣ以上で印字されたことを特徴とするラベル。
【請求項４】
計量機と連動したオンデマンド商品情報と、該商品に関連するレシピおよび／または献立のオンデマンド情報とが併せてインクジェット方式により印字され、
かつ、少なくとも前記レシピおよび／または献立のオンデマンド情報は、フルカラーで印字され、
前記オンデマンド商品情報に含まれるバーコード情報は、ＡＮＳＩ  Ｘ３．１８２で規定されるシンボルグレードがグレードＣ以上で印字されたことを特徴とするラベル。
【発明の詳細な説明】
【技術分野】
【０００１】
本発明は、ラベル印字方法およびラベルに関する。さらに詳述すると、スーパーマーケット等の小売店で利用される価格、内容量、バーコード等の商品情報を表示したラベル印字方法およびラベルに関する。
【背景技術】
【０００２】
スーパーマーケット、コンビニエンスストア等の小売店の生鮮食品は商品情報を表示するためのラベル（以下、ＰＯＳ（Point  of  Sale）ラベル、値付ラベル、商品ラベルともいう）が利用されており、消費者にとっては商品情報の確認のため、小売店にとっては商品の販売情報を記録して集計結果を在庫管理やマーケティング材料として用いるために広く用いられている。
【０００３】
近年、特売商品（値引商品）や、販売促進用の広告商品として、消費者の注目度を集めるような機能を付加したラベルの提案がなされている。例えば、特許文献１には、ラベルの上部に「お買い得」のような文字情報を併記して消費者の注目を集める事を目的としたラベルが開示されている。しかしながら、この技術は、ラベルの貼られた商品が特売品であることをアピールするためのＰＯＰ（Point  of  purchase  advertising）情報をアピールするものであり、販売促進のためにラベルにＰＯＰ機能を付与したものに留まっている。
【０００４】
ここで、ＰＯＳラベルに、ラベルが貼られた商品を用いたオンデマンドなレシピ・献立情報を提供することは、消費者と小売店の双方にとって大きなメリットがあると考えられる。まず、消費者にとっては、献立を考えるのは悩みの種であり、小売店に足を運び、商品を眺めながら献立を考え、商品の購入を決断する際に、商品に詳細な献立情報が掲載してあれば、瞬間的に献立をイメージすることができ、献立の悩みを解消することができるというメリットがある。また、小売店にとっても、当該商品に併せて、さらに、献立に必要な他の品物を併せて販売促進することができ、店の売上拡大に繋げることができるというメリットがある。
【０００５】
例えば、特許文献２には、商品のＷＥＢサイトのＵＲＬをコード化した２次元コードをラベルに併記し、消費者が携帯電話等でこの２次元コードを読み取って、ＷＥＢサイトにアクセスして商品のレシピ情報を見ることができる技術が開示されている。しかしながら、この技術の場合、消費者はＷＥＢアクセスするまでは何の情報が提供されるのかが判らず、消費者がアクセスしない限り献立情報の提供はできないという問題がある。
【０００６】
また、特許文献３には、ＷＥＢサイトへのアクセスを介さずに献立情報を情報提供する技術が開示されている。しかしながら、この技術の場合、献立情報はあらかじめプレ印刷形成されていることから情報は固定化しており、献立情報のオンデマンド性への対応が困難であるという問題がある。
【０００７】
一方、インクジェット記録方式（インクジェット方式）は、インクの微小液滴を飛翔させて紙等の記録シートに付着させ、画像・文字等の記録、印字を行うもので、文字及び画像情報等の記録手段、特にカラー画像情報の手段として種々の用途に於いて急速に普及している。また、作成部数が少ない用途に於いては、従来の印刷方式よりも安価であることから広く応用されつつある。例えば、特許文献４および特許文献５には、インクジェット方式がラベル用途として使用できることが述べられている。また、特許文献６および特許文献７にはバーコードの読み取りに好適なインクジェット記録用紙に関する技術が開示されている。
【発明の概要】
【発明が解決しようとする課題】
【０００８】
このように、インクジェット方式を利用したラベルに関する技術が提案されているが、いずれもラベルを貼り付けた商品自体の販売促進を目的としたものであり、貼られている商品以外の商品の販促を果たしていない。すなわち、ラベルを貼り付けた商品の情報だけでなく、他の商品の販促情報を表示する掲示物のように使用される方法については、これまで提案されていなかった。
【０００９】
また、従来からスーパーマーケットやコンビニエンスストア等の店舗内において、商品のレシピを掲載したチラシがレジ付近や商品棚の脇等に設置され、献立情報をアナウンスしているが、この方法では、チラシの設置場所が少ないためアナウンス効果は不十分であった。更に、スペースの制限から設置されるレシピの枚数も制限され、アナウンスできるレシピの数、情報量も少なくならざるを得ず、多種類のレシピ情報をアナウンス効果が高い方法で提供することはできなかった。
【００１０】
また、レシピ・献立情報をラベルに印字する際、これらの情報を消費者の目を引く形で提供するためにカラー印字を行うことが考えられる。しかしながら、ラベルにバーコード情報を特定グレード以上で印字しながら、同時にフルカラー印字も行うことは、従来行われてきた印字方法によっては、技術的に困難であり、ラベルの印字方法について検討の余地が残されていた。
【００１１】
そこで本発明は、バーコードの判読性を低下させることなく、かつ、ラベルに商品情報に併せて、該商品に関するレシピ・献立情報を分かり易く目立つように印字することにより、消費者の献立の悩みを解消し、さらに、小売店等には、商品の販売促進および当該レシピ・献立に必要な他の商品を併せて販売促進することができるラベル印字方法およびラベルを提供することを目的とする。
【課題を解決するための手段】
【００１２】
本発明者らは、上記したような従来の課題を解決すべく鋭意研究した結果、インクジェット方式でラベルを印字すれば、バーコード情報を特定グレード以上とすることができ、かつラベルのフルカラー化が容易であることから、レジでの作業効率を落とすことなく、レシピ・献立情報を消費者の目につく形で提供できることを見出した。
【００１３】
かかる目的を達成するため、請求項１に記載のラベル印字方法は、計量機と連動したオンデマンド商品情報と、該商品に関連するレシピおよび／または献立のオンデマンド情報とを併せてインクジェット方式により印字し、かつ、少なくともレシピおよび／または献立のオンデマンド情報は、フルカラーで印字し、オンデマンド商品情報に含まれるバーコード情報は、ＡＮＳＩ  Ｘ３．１８２で規定されるシンボルグレードがグレードＣ以上で印字するようにしている。
【００１４】
また、請求項２に記載の発明は、請求項１に記載のラベル印字方法において、同種の商品に、異なるレシピおよび／または献立のオンデマンド情報を印字するようにしている。
【００１５】
また、請求項３に記載のラベルは、計量機と連動したオンデマンド商品情報と、該商品に関連するレシピおよび／または献立のオンデマンド情報とが併せて印字され、かつ、少なくともレシピおよび／または献立のオンデマンド情報は、フルカラーで印字され、オンデマンド商品情報に含まれるバーコード情報は、ＡＮＳＩ  Ｘ３．１８２で規定されるシンボルグレードがグレードＣ以上で印字されたものである。
【００１６】
また、請求項４に記載のラベルは、計量機と連動したオンデマンド商品情報と、該商品に関連するレシピおよび／または献立のオンデマンド情報とが併せてインクジェット方式により印字され、かつ、少なくともレシピおよび／または献立のオンデマンド情報は、フルカラーで印字され、オンデマンド商品情報に含まれるバーコード情報は、ＡＮＳＩ  Ｘ３．１８２で規定されるシンボルグレードがグレードＣ以上で印字されたものである。
【発明の効果】
【００１７】
本発明に係るラベル印字方法によれば、消費者に対し、豊富なレシピ・献立情報を効率的かつ分かりやすい形で提供することができ、かつスーパーマーケット等の小売店に対し、当該商品に加えて、レシピ・献立に必要な他の品物を併せて販売促進することができるラベルをインクジェット方式によりフルカラー印字することができる。
【００１８】
本発明に係るラベルによれば、消費者に対し、豊富なレシピ・献立情報を効率的かつ分かりやすい形で提供することができる。一方、スーパーマーケット等の小売店は、当該商品に加えて、レシピ・献立に必要な他の品物を併せて販売促進することができる。
【００１９】
また、ラベルに印字されるバーコード情報が、ＡＮＳＩ  Ｘ３．１８２で規定されるシンボルグレードがグレードＣ以上を満たすものであるので、バーコードの判読性を維持し、ＰＯＳシステム等の運用に支障をきたすことがない。
【００２０】
また、販売強化したい商品等、同種の商品であっても異なるレシピ・献立情報を印字することにより、より効率的な売上拡大を図ることができる。
【図面の簡単な説明】
【００２１】
【図１】本発明に係るラベルの一例を示す図である。
【図２】本発明に係るラベルの他の例を示す図である。
【図３】本発明に係るラベルの他の例を示す図である。
【図４】本発明に係るラベルの他の例を示す図である。
【図５】本発明に係るラベルが付された商品が陳列されている様子を示す模式図である。
【図６】（ａ）本発明に係るラベルの他の例、（ｂ）バーコードのグレードが低いラベルの一例を示す図である。
【発明を実施するための形態】
【００２２】
以下、本発明に係る構成を図面に示す実施の形態に基づいて詳細に説明する。
【００２３】
１．ラベル印字方法
本発明に係るラベル印字方法は、計量機と連動したオンデマンド商品情報と、該商品に関連するレシピおよび／または献立のオンデマンド情報とを併せてインクジェット方式により印字し、かつ、少なくともレシピおよび／または献立のオンデマンド情報は、フルカラーで印字し、オンデマンド商品情報に含まれるバーコード情報は、ＡＮＳＩ  Ｘ３．１８２で規定されるシンボルグレードがグレードＣ以上で印字するようにしたものである。
【００２４】
ここで、「オンデマンド商品情報」とは、肉類、魚類、野菜類、惣菜類等の食品がパッケージされ、商品毎のパッケージの内容量や種類が異なっており、それらの内容量は計量機によって計量されてデータ化され、そのデータとリンクした内容の情報をいう。すなわち、商品毎に固有な情報であり、具体的な内容としては商品名、内容量、単価、価格、賞味期限、加工日、産地等の情報が挙げられる。これらの情報は、商品のパッケージする度にその情報をラベルに印字出力することが必要となることからオンデマンド印字が必要な商品情報である。また、バーコード、２次元コード（ＱＲコード、ＳＰコード、ベリコード等）等の情報もオンデマンド商品情報に含まれる。
【００２５】
また、該商品に関連する「レシピおよび／または献立のオンデマンド情報（以下、単に、レシピ・献立情報ともいう）」とは、食事を作る際の計画に関する情報であり、材料の分量や調理法を記したものであり、メニュー、嗜好、費用、栄養、手間、技術、時間等を総合的に考えて計画したものである。これらの献立のレパートリーを複数提案したい場合には、各献立毎にその内容が異なることからオンデマンドな印字出力が必要となることからオンデマンド印字が必要な情報と言える。また、献立情報の場合は、献立の材料、調理法の文字情報の他に、献立の完成イメージを想起できるイラスト、デザイン、写真等の情報が当然必要であり、文字と画像両方の情報が融合されたオンデマンド情報となる。
【００２６】
本発明に係るラベル印字方法は、計量機と連動したオンデマンド商品情報と、該商品に関連するレシピ・献立情報とを併せてインクジェット方式により印字し、かつ、少なくともレシピ・献立情報は、フルカラーで印字されることにより、各々の情報が別々のラベルとして一つの商品に貼り付けられていた場合に比べて、消費者の注目を引き、その結果、献立情報のアナウンス効果が大きく異なるようにすることができる。
【００２７】
ここで、消費者が商品を購入する際、商品情報を得る手段としては、透明なフィルム等で包装されている場合はフィルム越しに直接商品を見ることにより商品の状態を見ることと、商品に貼り付けられているＰＯＳラベルから価格、内容量等の情報を得ることが想定される。そのため、消費者のＰＯＳラベルへの注目度は高いと想定される。したがって、消費者の注目度が高いＰＯＳラベルにレシピ・献立情報が併記されていれば、従来のように、レシピ・献立情報を、別の場所に提示してある場合に比べて、当然に併記されているレシピ・献立情報への注目度は高く、その結果、レシピ・献立情報のアナウンス効果を大きくすることができる。
【００２８】
更に、レシピ・献立情報をオンデマンド商品情報に併せて印字する場合、従来の感熱記録方式によるラベル印字の場合は、フルカラー印字が困難であるのに対し、本発明は、インクジェット方式を利用することでフルカラーでの情報印字を可能とし、色彩を利用したデザイン、イラスト、写真等で消費者の注目度を高めることを可能としている。
【００２９】
また、スーパーマーケットなどの小売店が、レシピ・献立情報をＰＯＳラベルに併記する事で消費者の献立の悩みを解消することを考える場合、一つの商品につき、多くのレシピ・献立情報を取り扱うことが好ましい。また、小売店が、献立に必要な他の商品を併せて販売促進することによって、店の売上拡大に効率的に繋げるためには、販売強化したい商品等、商品毎にレシピ・献立情報を変化できることが好ましい。そのため、ラベルに印字されるレシピ・献立情報は、商品に応じて異なるのは勿論、同一、同種の商品であっても、内容量、販売時期（季節）、商品価格等の種々の要素に応じて、都度適したレシピ・献立情報を選択的に印字可能とすることが好ましい。
【００３０】
このため、従来の印刷方式でこれに対応するためには、事前に複数の献立情報を印刷したものを用意して、計量機と連動した商品情報を印字する方法が必要となり、事前印刷の種類に応じたラベルの在庫を抱えることが必要である。しかしながら、インクジェット方式を利用することにより、無地のラベルに１枚毎に献立情報の内容を変えてオンデマンドのカラー印刷することが可能であるので、印刷済みラベルの在庫を不要にすることができる。
【００３１】
また、上述のようにラベルには、オンデマンド商品情報としてバーコード、２次元コード等の情報（バーコード情報）も印字される。ここで、バーコード情報のようにモノクロ印字で機能を発現できる情報も、インクジェット方式で印字（モノクロ印字）することが可能であるが、ラベルの印字を、従来の感熱記録方式に替えて、インクジェット方式を利用して印字する際、バーコード情報の判読性の低下が問題となる。
【００３２】
しかしながら、本発明に係るラベル印字方法は、バーコード情報が所定のグレード以上の判読性を有するよう、具体的には、バーコード印刷品質のガイドライン「ＡＮＳＩ  Ｘ３．１８２」規格で規定されるシンボルグレードが所定グレード（グレードＣ以上）で印字することができるようにしている。なお、２次元コードの印字においても判読性を低下させることなく印字することが可能である。
【００３３】
このようにすることにより、バーコードの判読性が従来の感熱記録方式でバーコードを印字するシステムと同様に維持することができ、ＰＯＳシステム（レジにおけるバーコードを利用した精算等やＰＯＳデータの収集等）等の運用において支障をきたすことがないようにしている。
【００３４】
ここで、インクジェット方式でバーコードを作成し、ＡＮＳＩ  Ｘ３．１８２で規定されるシンボルグレードがグレードＣ以上を確保するためには、印字装置に係る受容体、ヘッド、インクそれぞれに好ましい条件があり、それらの組み合わせによって達成させることができる。例えば、受容体ではインク受容面の平滑性が高いほど、インクの吸液量が大きいほどバーコードのＡＮＳＩシンボルグレードが高まる。また、ヘッドでは解像度が大きいほどバーコードのＡＮＳＩシンボルグレードグレードが高くなる。
【００３５】
なお、本発明において、利用可能なインクジェット方式は、印字ヘッドタイプとしては、例えば、シリアル方式、ライン方式、コンティニアス方式等のいずれの方式も利用可能である。また、インクタイプとしては、例えば、水系染料インク、水系顔料インク、溶剤系染料インク、溶剤系顔料インク、ＵＶインク等のいずれのタイプも利用可能である。
【００３６】
また、本発明において、ラベルの基材は、インクジェット方式での印字に対応できるものであれば特に限定されるものではなく、紙、フィルム、合成紙、布等の基材を利用することが可能である。
【００３７】
更に、インクジェット方式での記録特性を高める目的で基材にインク吸収機能を有する機能層を設けることも可能である。例えば、インクジェット用紙として一般に知られているマット紙、光沢紙、写真用紙、プルーフ紙等を用いることも可能である。また、印字面の裏面に粘着剤及び剥離紙を設置したラベル様式、印字面の裏面に熱活性型の粘着剤を設置したライナーレスラベル様式、印字面に剥離機能、印字面の裏面に粘着剤を設置したライナーレスラベル様式で利用することも可能である。
【００３８】
２．ラベル
また、本発明に係るラベルは、計量機と連動したオンデマンド商品情報と、該商品に関連するレシピおよび／または献立のオンデマンド情報とが併せて印字され、かつ、少なくともレシピおよび／または献立のオンデマンド情報は、フルカラーで印字され、オンデマンド商品情報に含まれるバーコード情報は、ＡＮＳＩ  Ｘ３．１８２で規定されるシンボルグレードがグレードＣ以上で印字されたものである（図１〜図６（ａ））。なお、当該ラベルは、インクジェット方式により印字されていることが好ましいが、インクジェット方式以外の他の印字方式によりフルカラー印字されたものであっても良い。
【００３９】
〔第１の実施形態〕
図１に、上述したラベル印字方法により印字されたラベルの一例を示す。図１に示すラベル１０は、豚ロース厚切りのＰＯＳラベル１０であって、計量機と連動したオンデマンド情報１の上部に、レシピ・献立情報２として、塩豚鍋のレシピ・献立情報２が併せてインクジェット方式によりフルカラー印字されている。この塩豚鍋のレシピ・献立情報２は文字、イラスト、背景のいずれもカラーで印字され、かつ、バーコード３は、ＡＮＳＩ  Ｘ３．１８２で規定されるシンボルグレードがグレードＣ以上で印字されている。
【００４０】
〔第２の実施形態〕
図２に、上述したラベル印字方法により印字されたラベルの他の例を示す。図２に示すラベル１０は、国産合挽肉のＰＯＳラベル１０であって、計量機と連動したオンデマンド情報１の左部に、レシピ・献立情報２として、ロールキャベツのレシピ・献立情報２が併せてインクジェット方式によりフルカラー印字されている。このロールキャベツのレシピ・献立情報２は文字、イラスト、背景いずれもカラーで印字され、かつ、バーコード３は、ＡＮＳＩ  Ｘ３．１８２で規定されるシンボルグレードがグレードＣ以上で印字されている。
【００４１】
〔第３の実施形態〕
図３に、上述したラベル印字方法により印字されたラベルの他の例を示す。図３に示すラベル１０は、生イワシのＰＯＳラベル１０であって、計量機と連動したオンデマンド情報１の下部に、レシピ・献立情報２として、いわしマスタード焼きのレシピ・献立情報２が併せてインクジェット方式によりフルカラー印字されている。このいわしマスタード焼きのレシピ・献立情報２は文字、イラスト、背景いずれもカラーで印字され、かつ、バーコード３は、ＡＮＳＩ  Ｘ３．１８２で規定されるシンボルグレードがグレードＣ以上で印字されている。
【００４２】
〔第４の実施形態〕
図４に、上述したラベル印字方法により印字されたラベルの他の例を示す。図４に示すラベル１０は、豚ロース厚切りのＰＯＳラベル１０であって、計量機と連動したオンデマンド情報１の右部に、レシピ・献立情報２として、ポークソテーのレシピ・献立情報２が併せてインクジェット方式によりフルカラー印字されている。このポークソテーのレシピ・献立情報２は文字、イラスト、背景いずれもカラーで印字され、かつ、バーコード３は、ＡＮＳＩ  Ｘ３．１８２で規定されるシンボルグレードがグレードＣ以上で印字されている。
【００４３】
図１から図４のように、オンデマンド商品情報１が印字されたＰＯＳラベル１０に、文字情報、イラスト情報等をフルカラーで印字したレシピ・献立情報２を併せて印字することにより、消費者は商品購入時にＰＯＳラベル１０で商品情報を確認する際、併記されたレシピ・献立情報２に目が止まり、このレシピ・献立情報２のアナウンス効果を、飛躍的に高くすることができる。また、小売店は、このようなレシピ・献立情報２を消費者に提供することにより消費者の献立の悩みを解消でき、消費者の信頼を獲得することができる。更に、レシピ・献立に必要なその他の商品も併せて販売することで売上拡大を図ることが可能になる。
【００４４】
〔第５の実施形態〕
図５に、上述したラベル印字方法により印字されたラベル１０が付された商品が陳列されている様子を示す。図５は、塩豚鍋とポークソテーというそれぞれ異なるレシピ・献立情報２を併記したラベルが、同種の商品（豚ロース厚切り）に貼り付けられて、商品が陳列棚４に陳列されている様子を示している。上述のように、インクジェット方式を利用してラベル作成を行うことにより、異なる複数のレシピ・献立情報２を同種の商品のラベル１０に貼り付けることが容易に可能となる。
【００４５】
〔第６の実施形態〕
上述のように、上述したラベル印字方法により印字されたラベルは、バーコードが所定のグレード（ＡＮＳＩ  Ｘ３．１８２で規定されるシンボルグレードがグレードＣ）以上であるものである。図６（ａ）〜（ｂ）に、バーコードのシンボルグレードの異なるラベルの例を示す。
【００４６】
図６（ａ）は、本発明に係るラベルの一例であり、バーコード３はグレードＢである。当該ラベル１０によれば、バーコードの判読性が従来の感熱記録方式でバーコードを印字するシステムと同様に維持することができる。一方、図６（ｂ）は、バーコード５はグレードＦの比較例である。バーコード５は、バーのエッジにキザキザがありレジでの判読が困難であるため、レジの作業効率が極端に低下する。
【００４７】
尚、上述の実施形態は本発明の好適な実施の例ではあるがこれに限定されるものではなく、本発明の要旨を逸脱しない範囲において種々変形実施可能である。
【符号の説明】
【００４８】
１  オンデマンド商品情報
２  レシピ・献立情報
３  バーコード
４  商品陳列棚
５  バーコード（グレードＦ）
１０  ラベル
【先行技術文献】
【特許文献】
【００４９】
【特許文献１】特許第２９５６５９９号
【特許文献２】特開２００６−４７６１９号公報
【特許文献３】特開２００２−２０３２８１号公報
【特許文献４】特許第３０７８４２５号
【特許文献５】特開２００４−３２２４５８号公報
【特許文献６】特開２００７−１３６９６７号公報
【特許文献７】特開２００７−９０７０９号公報
【図１】
2010211455.tif 000003
【図２】
2010211455.tif 000004
【図３】
2010211455.tif 000005
【図４】
2010211455.tif 000006
【図５】
2010211455.tif 000007
【図６】
2010211455.tif 000008